(57)【要約】【課題】簡単な構造で簡便に使用できると共に、フレッシュコンクリート表面の気泡を容易且つ確実に抜き取ることができる気泡抜き取り具を提供する。【解決手段】コンクリート型枠１０の内面に沿って挿入してフレッシュコンクリート１１の表面側の気泡１３を抜き取るためのものであって、線材、棒材等からなる所定長さの杆体１６を所定の間隔を置いて略平行に複数本配置して構成され、且つ前記コンクリート型枠１０の内面に沿って挿入される櫛歯杆１４を備えたものである。【選択図】      図２
2004197443.tif 000002
【特許請求の範囲】
【請求項１】
コンクリート型枠（１０）の内面に沿って挿入してフレッシュコンクリート（１１）の表面側の気泡（１３）を抜き取るための気泡抜き取り具であって、線材、棒材等からなる所定長さの杆体（１６）を所定の間隔を置いて略平行に複数本配置して構成され、且つ前記コンクリート型枠（１０）の内面に沿って挿入される櫛歯杆（１４）を備えたことを特徴とする気泡抜き取り具。
【請求項２】
前記杆体（１６）がピアノ線であることを特徴とする請求項１に記載の気泡抜き取り具。
【請求項３】
線材、棒材等からなる所定長さの杆体（１６）を所定の間隔を置いて略平行に複数本配置して構成された櫛歯杆（１４）を、コンクリート型枠（１０）の内面に沿って上側から前記杆体（１６）の長手方向に挿入した後、前記櫛歯杆（１４）を前記コンクリート型枠（１０）の内面に沿って前記杆体（１６）の長手方向へと上側に抜き取りながら、前記フレッシュコンクリート（１１）の表面側の気泡（１３）を抜き取ることを特徴とするフレッシュコンクリート表面仕上げ方法。
【請求項４】
前記櫛歯杆（１４）を挿入状態において前記杆体（１６）の長手方向に１回又は複数回上下動させた後に抜き取ることを特徴とする請求項３に記載のフレッシュコンクリート表面仕上げ方法。
【請求項５】
前記櫛歯杆（１４）を前記杆体（１６）の長手方向に上下動させながら抜き取ることを特徴とする請求項３又は４に記載のフレッシュコンクリート表面仕上げ方法。
【発明の詳細な説明】
【０００１】
【発明の属する技術分野】
本発明は、コンクリート型枠の内面に打設されたフレッシュコンクリートの表面の気泡を抜き取る際に使用する気泡抜き取り具及びフレッシュコンクリート表面仕上げ方法に関するものである。
【０００２】
【従来の技術】
通常のフレッシュコンクリートには３〜６％（容積比）の空気が含まれているため、そのフレッシュコンクリートをコンクリート型枠内に打設したままで硬化させた場合には、コンクリートの表面に多数の気泡痕が残る。そこで、従来はフレッシュコンクリートの打設後に回転式又は振動式の気泡抜き取り装置を使用して、フレッシュコンクリートの表面側の気泡を抜き取る表面仕上げを行っている（例えば特許文献１参照）。
【０００３】
回転式の気泡抜き取り装置は回転軸の先端に長いロッドを備え、回転状態のロッドをコンクリート型枠の内面に沿って挿入して、ロッドによるフレッシュコンクリートの攪拌により気泡を抜き取るようにしたものである。振動式の気泡抜き取り装置は振動源と振動体とを備え、振動体をコンクリート型枠の外面に押し付けて、コンクリート型枠の振動により気泡を抜き取るようにしたものである。
【０００４】
【特許文献１】
特開２００２−２９５０１９号公報
【０００５】
【発明が解決しようとする課題】
従来の気泡抜き取り装置による表面仕上げでは、次のような欠点がある。即ち、回転式の気泡抜き取り装置はロッドをコンクリート型枠の内面に沿って均一に接触させることが困難であり熟練度を要すること、気泡の抜き取りにバラツキが生じ易いこと、回転式であるため巻き込み等の危険が伴うこと、ロッドの消耗が激しく耐久性に欠けること等の問題がある。
【０００６】
また振動式の気泡抜き取り装置は振動体をコンクリート型枠の外面に押し付けて振動させるため、作業に非常な体力を要し作業の疲労度が高いこと、気泡の抜き取りにバラツキが生じ易いこと等の問題がある。
【０００７】
更に図８に示すように土留め用のよう壁等の施工現場では、コンクリート型枠１を傾斜させて設け、そのコンクリート型枠１の内側にフレッシュコンクリート２を打設するが、このようにコンクリート型枠１が傾斜している場合には、回転式、振動式の何れの気泡抜き取り装置を使用しても、その気泡３の抜き取りが非常に困難である。
【０００８】
即ち、気泡３はコンクリート型枠１に沿って上に抜き取るため、コンクリート型枠１が垂直状態の場合には、コンクリート型枠１を外側から振動させる等によって抜き取ることができるが、コンクリート型枠１がフレッシュコンクリート２の表面側を上側から覆うように傾斜状になっている場合には、そのコンクリート型枠１が邪魔になって気泡３が上昇し難くなり、コンクリート型枠１を振動させる程度では、コンクリート型枠１が垂直状態の場合に比較して気泡３が非常に抜け難いという問題がある。
【０００９】
本発明は、このような従来の問題点に鑑み、簡単な構造で簡便に使用できると共に、フレッシュコンクリート表面の気泡を容易且つ確実に抜き取ることができる気泡抜き取り具、及び簡単な構造の櫛歯杆を使用する簡便な作業でフレッシュコンクリート表面の気泡を容易且つ確実に抜き取ることができるフレッシュコンクリート表面仕上げ方法を提供することを目的とする。
【００１０】
【課題を解決するための手段】
本発明に係る気泡抜き取り具は、コンクリート型枠１０の内面に沿って挿入してフレッシュコンクリート１１の表面側の気泡１３を抜き取るためのものであって、線材、棒材等からなる所定長さの杆体１６を所定の間隔を置いて略平行に複数本配置して構成され、且つ前記コンクリート型枠１０の内面に沿って挿入される櫛歯杆１４を備えたものである。
【００１１】
本発明に係る表面仕上げ方法は、線材、棒材等からなる所定長さの杆体１６を所定の間隔を置いて略平行に複数本配置して構成された櫛歯杆１４を、コンクリート型枠１０の内面に沿って上側から前記杆体１６の長手方向に挿入した後、前記櫛歯杆１４を前記コンクリート型枠１０の内面に沿って前記杆体１６の長手方向へと上側に抜き取りながら、前記フレッシュコンクリート１１の表面側の気泡１３を抜き取るものである。
【００１２】
【発明の実施の形態】
以下に、本発明の実施形態を図面に基づいて詳述する。図１〜図３は本発明の第１の実施形態を例示する。図１は土留め用のよう壁工事等の場合を示し、１０はコンクリート型枠、１１はフレッシュコンクリートである。コンクリート型枠１０は傾斜状に設けられており、その内側にフレッシュコンクリート１１が打設されている。１２はフレッシュコンクリート１１の表面側（表面及びその近傍）の気泡１３を抜き取るための気泡抜き取り具である。
【００１３】
気泡抜き取り具１２は、図１及び図２に示すように、コンクリート型枠１０の内面に沿って挿入される櫛歯杆１４と、作業者が把持する把持部１５とを有する。櫛歯杆１４は所定の間隔（略等間隔）を置いて略平行に上下方向に配置された複数本の所定長さの杆体１６と、この各杆体１６の上端側を支持する支持部材１７とを備え、全体として略櫛歯状に構成されている。
【００１４】
各杆体１６には鋼製の真っ直ぐな線材又は棒材等、例えばピアノ線が用いられており、その外周面は平滑状又は粗面状になっている。なお、各杆体１６の下端は略直角に切断されているが、先端を球面状、円錐状、先鋭状にしても良い。杆体１６は、鋼製以外の金属材を使用しても良いし、金属材以外の材料を使用しても良い。但し、挿入時に屈曲しないように適度な弾性、靱性等を有する材料を用いることが望ましい。
【００１５】
支持部材１７は略板状であって、左右方向に配置された帯状の杆支持部１８と、この杆支持部１８の左右方向の略中央から把持部１５側へと上側に突出する取り付け部１９とを一体に備え、その杆支持部１８に各杆体１６の上端部が溶接等で固定されている。
【００１６】
把持部１５は１本の真っ直ぐな丸パイプ材、角パイプ材等のパイプ材からなる把持竿２０により構成され、その把持竿２０の下端の偏平部２１に支持部材１７の取り付け部１９がボルト２２等により着脱自在に固定されている。なお、把持竿２０はアルミ又はアルミ合金製のパイプ材が適当であるが、パイプ材以外のもの、例えば中実材を使用しても良い。
【００１７】
各杆体１６はフレッシュコンクリート１１の１回の打設深さと略同等の長さ、又はそれ以上の長さであって、作業幅に応じて数本〜十数本程度の杆体１６が１５〜４０ｍｍ程度の間隔をおいて配置されている。各杆体１６は略同一長さであり、櫛歯杆１４の下端側で先端が略揃っている。櫛歯杆１４は全体の幅に対して長さが大になっている。
【００１８】
なお、各杆体１６の上端部にＵ字状、Ｌ字状、円形状等の廻り止め用の屈曲部を設け、この屈曲部又はその近傍を支持部材１７と押さえ板とで廻らないように挟んでボルトで固定する等によって、各杆体１６を支持部材１７に着脱自在に固定しても良い。
【００１９】
作業に際しては、図１に示すようにコンクリート型枠１０に固定された足場３３等に作業者が乗った状態で、気泡抜き取り具１２の櫛歯杆１４をフレッシュコンクリート１１に対して挿脱しながら、フレッシュコンクリート１１の表面側の気泡１３を抜き取る。
【００２０】
この場合、作業者は櫛歯杆１４を下に向けた状態で把持竿２０を把持し、櫛歯杆１４の下端をコンクリート型枠１０の内面に当てるようにして、傾斜状のコンクリート型枠１０とフレッシュコンクリート１１との境界部分に合わせる。次に把持竿２０を下方へと押し下げて、図３（Ａ）に示すように櫛歯杆１４をコンクリート型枠１０の内面に沿って上側から杆体１６の長手方向に挿入する。そして、櫛歯杆１４の下端がフレッシュコンクリート１１の下端部に到達するまで挿入した後、櫛歯杆１４をコンクリート型枠１０の内面に沿って杆体１６の長手方向へと上側に抜き取りながら、フレッシュコンクリート１１の表面側の気泡１３を抜き取る。
【００２１】
櫛歯杆１４の各杆体１６にはピアノ線を使用しているが、コンクリート型枠１０の内面に沿ってその長手方向に挿入するので、コンクリート型枠１０によって各杆体１６を案内でき、櫛歯杆１４をコンクリート型枠１０に沿って容易に挿入できる。
【００２２】
また櫛歯杆１４をコンクリート型枠１０に沿ってフレッシュコンクリート１１の表面側に挿入すれば、各杆体１６の通過位置及びその近傍のフレッシュコンクリート１１が各杆体１６の移動によって流動するため、その部分の細かい気泡１３等が集まり易くなる。
【００２３】
櫛歯杆１４を挿入する場合には、杆体１６の長手方向に上下動させながら順次挿入しても良い。このようにすれば各杆体１６の周辺部分の気泡１３が更に集まり易くなり、また杆体１６の下側に骨材等があっても、櫛歯杆１４を容易に挿入できる。
【００２４】
櫛歯杆１４はその下端が１回の打設深さ分のフレッシュコンクリート１１の下端側に略到達するまで挿入する。そして、その後、櫛歯杆１４を所定の速度でコンクリート型枠１０の内面に沿って杆体１６の長手方向へと上側に徐々に抜き取る。櫛歯杆１４の下端がフレッシュコンクリート１１の下端側まで到達すれば、その挿入状態で櫛歯杆１４を杆体１６の長手方向に１回又は数回程度上下動させても良いし、また杆体１６の長手方向に上下動させながら櫛歯杆１４を抜き取っても良い。
【００２５】
櫛歯杆１４の抜き取りに伴って各杆体１６がフレッシュコンクリート１１内で上昇すると、その長手方向の中間部にある気泡１３の一部は、各杆体１６近傍のフレッシュコンクリート１１の流動に同伴して上昇する。
【００２６】
またフレッシュコンクリート１１内の気泡１３は、その深さに応じた圧力（正圧）を受けた状態にあり、しかも各杆体１６が上昇すればその下側が負圧になるため、各杆体１６の下端部の通過位置及びその近傍にある気泡１３は、図３（Ｂ）に示すように各杆体１６の下側の負圧部分に集まりながら、櫛歯杆１４の上昇に伴って上昇する。
【００２７】
従って、挿入後の櫛歯杆１４を適当な速度で徐々に抜き取ることによって、コンクリート型枠１０がフレッシュコンクリート１１の表面側に被さるように傾斜している場合でも、その表面側の気泡１３を容易且つ確実に抜き取ることができ、硬化後のコンクリートの表面に気泡痕が残らないように、フレッシュコンクリート１１の表面側を仕上げることができる。
【００２８】
また挿入状態において櫛歯杆１４を１回又は複数回上下動させ、更に上下動させながら徐々に抜き取ることにより、各杆体１６近傍のフレッシュコンクリート１１をより攪拌でき、その攪拌によって気泡１３が移動し易くなるため、各杆体１６近傍の細かい気泡１３を集めながら抜き取ることができる。
【００２９】
気泡抜き取り具１２は、所定長さのピアノ線からなる複数本の杆体１６を所定の間隔を置いて略平行に複数本配置して構成された櫛歯杆１４を備え、この櫛歯杆１４をコンクリート型枠１０の内面に沿って杆体１６の長手方向に挿入した後、その方向に抜き取れば良いので、構造が簡単であり、容易且つ簡便に使用できる。また杆体１６の長手方向に沿った把持竿２０で把持部１５を構成することにより、杆体１６の挿入方向を決め易くなり、その挿脱を容易にできる。しかも、把持竿２０が所定の長さを有するため、作業者は立った状態で容易に作業を行うことができる。
【００３０】
図４は本発明の第２の実施形態を例示する。把持部１５に把持竿２０を備えた気泡抜き取り具１２の場合にも、図４（Ａ）（Ｂ）に示すようにその用途に応じて櫛歯杆１４の幅の大小、杆体１６の長短、本数の多少、或いは把持竿２０の長短、把持竿２０の形状が異なる等、他種類のものが考えられる。また図４（Ｃ）に示すように把持竿２０に連結部２３を設け、この連結部２３に延長竿２４を着脱自在に連結するようにしても良い。更に図４（Ａ）に仮想線で示すように長い杆体１６ａと短い杆体１６ｂとを交互に設けても良い。
【００３１】
図５は本発明の第３の実施形態を例示する。把持部１５は図５（Ａ）（Ｂ）に示すように構成しても良い。図５（Ａ）の把持部１５は、上下方向の支持杆２４の上端側に二股部２５等を介して握り部２６が設けられている。また図５（Ｂ）の把持部１５は、上下方向の支持杆２４の上端側に二股部２５等を介して設けられた主握り部２７と、支持杆２４の中間に設けられた補助握り部２８とを備えている。
【００３２】
図６は本発明の第４の実施形態を例示する。把持部１５は図６（Ａ）（Ｂ）に示すように構成しても良い。図６（Ａ）の把持部１５は、左右方向の支持部材１７の両側に設けられている。また図６（Ｂ）の把持部１５は、支持部材１７の上側等に左右方向の把持杆３２を設けて構成されている。
【００３３】
なお、各杆体１６は支持部材１７に挿入する等によって固定され、また各杆体１６は、その上端側で支持部材１７の近傍に配置された左右方向の間隔保持部材２９により所定の間隔に保持されている。間隔保持部材２９は、各杆体１６を両側から挟む一対の保持板３０と、この保持板３０を着脱自在に締結するボルト３１とを備えている。
【００３４】
図７は本発明の第５の実施形態を例示する。図７（Ａ）（Ｂ）は振動式の気泡抜き取り具１２を示し、把持部１５の下側に振動源３４と振動体３５とを上下に備え、下側の振動体３５の先端側に櫛歯杆１４が着脱自在に装着されている。振動源３４は、櫛歯杆１４の杆体１６をその長手方向又は長手方向と直交する方向等の所定方向に振動（微振動等）させるようになっている。
【００３５】
このように櫛歯杆１４を振動可能に構成し、振動状態の櫛歯杆１４をフレッシュコンクリート１１の表面側に挿入することも可能である。なお、図７（Ｂ）の気泡抜き取り具１２は、櫛歯杆１４の各杆体１６の上部に屈曲部３６を有する。この屈曲部３６は他の各実施形態の櫛歯杆１４に設けても良い。
【００３６】
以上、本発明の各実施形態について詳述したが、本発明は各実施形態に限定されるものではなく、本発明の趣旨を逸脱しない範囲で種々の変更が可能である。例えば、櫛歯杆１４の杆体１６は棒状の帯板材、中空のパイプ材等で構成しても良いし、外周に小さい突起を有する鉄筋等で構成しても良い。
【００３７】
杆体１６には、その外周面に周方向に１個又は複数個の突条、凹溝等が長手方向の略全長又は長手方向の一部に形成された異径断面状の線材、棒材等を使用しても良い。把持部１５は、作業時に無理なく把持でき、櫛歯杆１４の挿入方向等を定め易いものであれば十分である。
【００３８】
また本発明は、コンクリート型枠１０が垂直状の場合にも同様に実施可能である。また各種の工事現場で使用する他、コンクリート二次製品の製造過程において使用することも可能である。
【００３９】
【発明の効果】
本発明では、コンクリート型枠１０の内面に沿って挿入してフレッシュコンクリート１１の表面側の気泡１３を抜き取るための気泡抜き取り具であって、線材、棒材等からなる所定長さの杆体１６を所定の間隔を置いて略平行に複数本配置して構成され、且つコンクリート型枠１０の内面に沿って挿入される櫛歯杆１４を備えているので、簡単な構造で簡便に使用できると共に、フレッシュコンクリート１１の表面側の気泡１３を容易且つ確実に抜き取ることができる。
【００４０】
また線材、棒材等からなる所定長さの杆体１６を所定の間隔を置いて略平行に複数本配置して構成された櫛歯杆１４を、コンクリート型枠１０の内面に沿って上側から杆体１６の長手方向に挿入した後、櫛歯杆１４をコンクリート型枠１０の内面に沿って杆体１６の長手方向へと上側に抜き取りながら、フレッシュコンクリート１１の表面側の気泡１３を抜き取るので、簡単な構造の櫛歯杆１４を使用して行う簡便な作業により、フレッシュコンクリート１１の表面側の気泡１３を容易且つ確実に抜き取ることができる。
【図面の簡単な説明】
【図１】本発明の第１の実施形態を示す吊り作業状態の断面図である。
【図２】（Ａ）は本発明の第１の実施形態を示す気泡抜き取り具の斜視図、（Ｂ）はその正面図である。
【図３】本発明の第１の実施形態を示す作用説明図である。
【図４】（Ａ）〜（Ｃ）は本発明の第２の実施形態を示す気泡抜き取り具の斜視図である。
【図５】（Ａ）（Ｂ）は本発明の第３の実施形態を示す気泡抜き取り具の斜視図である。
【図６】（Ａ）（Ｂ）は本発明の第４の実施形態を示す気泡抜き取り具の斜視図である。
【図７】（Ａ）（Ｂ）は本発明の第５の実施形態を示す気泡抜き取り具の側面図である。
【図８】フレッシュコンクリートの打設状態の断面図である。
【符号の説明】
１０  コンクリート型枠
１１  フレッシュコンクリート
１３  気泡
１４  櫛歯杆
１６  杆体
【図１】
2004197443.tif 000003
【図２】
2004197443.tif 000004
【図３】
2004197443.tif 000005
【図４】
2004197443.tif 000006
【図５】
2004197443.tif 000007
【図６】
2004197443.tif 000008
【図７】
2004197443.tif 000009
【図８】
2004197443.tif 000010